(57)【要約】【課題】高い装飾効果を奏する表示装置を提供すること。【解決手段】前方に光を発する発光手段と、発光手段の前方に配置され、発光手段の光を受けて所望の形状（第１形状）を立体的に発光表示するとともに、発光手段の光の一部を透過するシート状表示体と、シート状表示体の前方に配置される透光層と、シート状表示体を透過した光の少なくとも一部を制御することによって、透光層から前方に射出する光の態様に変化を生じさせて所望の形状（第２形状）を表示する光制御手段と、を備える表示装置が提供される。【選択図】図２
2008070698.tif 000002
【特許請求の範囲】
【請求項１】
前方に光を発する発光手段と、
前記発光手段の前方に配置され、前記発光手段の光を受けて所望の形状（第１形状）を立体的に発光表示するとともに、前記発光手段の光の一部を透過するシート状表示体と、
前記シート状表示体の前方に配置される透光層と、
前記シート状表示体を透過した光の少なくとも一部を制御することによって、前記透光層から前方に射出する光の態様に変化を生じさせて所望の形状（第２形状）を表示する光制御手段と、
を備える表示装置。
【請求項２】
前記発光手段が、面状発光する有機ＥＬ（エレクトロルミネッセンス）素子からなる、請求項１に記載の表示装置。
【請求項３】
前記発光手段が、光源と、該光源の光を導入して面状光を発光する導光体とからなる、請求項１に記載の表示装置。
【請求項４】
前記光源がＬＥＤランプからなる、請求項３に記載の表示装置。
【請求項５】
前記シート状表示体が、マイクロレンズアレイと、該マイクロレンズアレイを構成する各凸レンズの後方に配置された立体画像とからなる、請求項１〜４のいずれかに記載の表示装置。
【請求項６】
前記光制御手段が、
（１）前記透光層の一部の領域を被覆し、該領域を通る光の量及び／又は色を変化させる光制御層、
（２）前記透光層の一部に形成された光拡散反射部、
（３）前記透光層の一部に形成された凹部又は凸部、又は
（４）前記透光層の一部に形成された貫通孔、
からなる、請求項１〜５のいずれかに記載の表示装置。
【請求項７】
前記光制御層が、前記発光手段の光で蛍光する蛍光体を含有する、請求項６に記載の表示装置。
【請求項８】
前記透光層の光出射面上又は前方にハーフミラー層が備えられる、請求項１〜７のいずれかに記載の表示装置。
【発明の詳細な説明】
【技術分野】
【０００１】
本発明は、所望の形状（文字、数字など）を発光表示する表示装置に関する。本発明の表示装置は例えば車両の装飾（例えば自動車スカッフプレート部の装飾、車両室内天井の装飾）、建物の装飾（例えば家屋の表札の装飾、家屋やビルディング内の天井の装飾）に利用される。
【背景技術】
【０００２】
文字等を発光表示することによって装飾効果を得る、自動車用のスカッフプレート装置が実用化されている。従来の透過型発光式のスカッフプレート装置１００の一例を図７に示す。スカッフプレート装置１００では導光板１０２の上に所望の文字等の形状を打ち抜いた文字板１０１（例えばアルミ板）が積み重ねられる。導光板１０２の裏面には白色印刷が施されている。導光板１０２の端面に対向する位置には光源１０３が配置される。このようなスカッフプレート装置１００では光源１０３が点灯すると、導光板１０２の端面を介して導光板１０２内に光が導入される。導入された光は導光板１０２の裏面側で反射作用を受け、これによって導光板１０２の上面方向の光が生成する。その結果、導光板１０２の上面から光が放出される。放出された光は文字板１０１に至り、その一部は文字板１０１に形成された打ち抜き部を介して外部に取り出される。以上の作用によって所定の文字等が発光表示される。以上の構成の他、様々な工夫を凝らした表示装置が提案されている（例えば、特許文献１〜３を参照）。
【０００３】
【特許文献１】特開２００２−２７９８１７号公報
【特許文献２】特開２００５−２２１６６１号公報
【特許文献３】特開２００６−０６２４３１号公報
【発明の開示】
【発明が解決しようとする課題】
【０００４】
以上の従来型のスカッフプレート装置では文字等が発光表示されることで一定の装飾効果が得られるものの、平面的な光り方となることから装飾効果が十分に高いとはいえない。また、高級感にも欠ける。文字板を厚くすることである程度の立体感を出すことは可能であるが、文字板の厚さ分の立体感が得られるのが限度である。また、文字板を厚くすることによって得られる発光像は単純的な立体感を伴うものにすぎない。このように、文字板を厚くするという手段では装飾効果の飛躍的な向上は期待できない。また、文字板の厚さは装置全体の厚さに直結することから、装置のデザイン等の制約上、文字板を厚くすることには限界がある。
【課題を解決するための手段】
【０００５】
本発明は以上の課題に鑑み、以下の構成からなる表示装置を提供する。即ち本発明は、
前方に光を発する発光手段と、
前記発光手段の前方に配置され、前記発光手段の光を受けて所望の形状（第１形状）を立体的に発光表示するとともに、前記発光手段の光の一部を透過するシート状表示体と、
前記シート状表示体の前方に配置される透光層と、
前記シート状表示体を透過した光の少なくとも一部を制御することによって、前記透光層から前方に射出する光の態様に変化を生じさせて所望の形状（第２形状）を表示する光制御手段と、
を備える表示装置である。
【発明の効果】
【０００６】
以上の構成の表示装置では発光手段の光を利用して第１シート状表示体が所望の形状（第１形状）を立体表示するとともに、その前方（手前方向）において光制御手段が所望の形状（第２形状）を表示する。換言すれば、第２形状の奥に第１形状が距離を置いて観察されることになる。第１形状及び第２形状は相互に比較対象となり、これによって高い立体感ないし奥行き感が得られる。また、第１形状が立体表示されることによって、立体感に富み且つ趣向を凝らした意匠が構築される。これによって空間的な広がりも演出することができる。従って、例えば車両室内天井や建物内の天井などの装飾に利用されれば、空間に奥行き感を付与したり、開放感を演出したりすることができる。
一方、以上のような原理に基づいて立体感ないし奥行き感を出すことにしたことから、薄型化が可能となる。
【発明を実施するための最良の形態】
【０００７】
（発光手段）
本発明では発光手段の光を用いて、シート状表示体による第１形状の表示と、透光層及び光制御手段による第２形状の表示が行われる。
発光手段は好ましくは面状光を発光する。これによって表示面積が広い表示装置となる。面状光を発光する発光手段の具体例は有機ＥＬ素子（エレクトロルミネッセンス）である。有機ＥＬ素子を利用すれば薄型化や消費電力の低減化が図られる。有機ＥＬ素子の基本的な構造は透明電極（陽極）と背面電極（陰極）との間にホール輸送層、発光層及び電子輸送層を形成したものであるが（例えば特開２００２−１２４３９１号公報を参照）、このような構造を備えたものに限らず、様々な構造の有機ＥＬ素子を本発明に適用することが可能である（例えば、特開平１１−１０２１６６号公報、特開２００１−３３２３８９号公報、特開２００４−１１１１５８号公報、特開２００５−３５３５０４号公報を参照）。
一方、光源と当該光源の光を導入して面状光を発光する導光体とによって発光手段を構成してもよい。例えば、板状の導光体の端面を入射面とし、側面の一つを発光面（出射面）とする。発光面と反対側の側面は表面処理や光反射拡散性材料の印刷等によって光反射拡散性とする。このような導光体に光源の光を導入すれば導光体の発光面より面状光が発光する。光源を導光体に包埋（インモールド）することにしてもよい。かかる構成によれば導光体が光源に対する防水部材としても機能する。また、小型化にも有利となる。導光体の材質は光透過性であれば特に限定されない。好ましくは透明な材料で導光体を構成する。また、加工が容易で耐久性に優れた材料により導光体を構成することが好ましい。導光体の材料の具体例としてはポリカーボネート樹脂、アクリル樹脂（メタクリル樹脂（ＰＭＭＡ）等）、エポキシ樹脂、ポリエチレンテレフタレート樹脂、ガラス等を挙げることができる。また、導光体の加工方法としては周知の射出成型等を採用することができる。
【０００８】
光源の種類は特に限定されないが、小型である点、低消費電力である点、長寿命である点などからＬＥＤランプを用いることが好ましい。ＬＥＤランプとしては砲弾型、チップ型等、種々のタイプのものを採用できる。ＬＥＤランプを光源とすることにより光源の発熱量が小さくなり周りの部材への熱的影響が小さいといった利点もある。
採用する光源の発光色も特に限定されない。異なる発光色を有する光源を複数組み合わせて用いることができる。複数の光源を用いた場合には、各光源の発光状態を制御し、様々な発光態様の光を放射することが可能である。例えば、赤、緑、青の各色のＬＥＤを光源として採用し、各ＬＥＤランプの発光状態、発光量を制御すれば、所望の色を発光させることができる。用いるＬＥＤランプの個数については導光体の大きさ、求められる輝度等を総合的に考慮して定めることができる。
【０００９】
（シート状表示体）
シート状表示体は発光手段の前方（光出射方向）に配置される。発光手段とシート状表示体との間に透光性の層を介在させてもよい。ここでの透光性の層は透光体又は空気によって構成することができる。
シート状表示体は発光手段の光を受けて所望の形状（第１形状）を立体的に発光表示する。これによって本発明では、発光した第１形状が立体視されることになる。一方でシート状表示体は発光手段の光の一部を透過する。シート状表示体を透過した光は透光層と光制御手段による第２形状の表示に利用されることになる。
第１形状は、所望の文字（任意のひらがな、カタカナ、漢字、アルファベットなど）、数字（算用数字、漢数字）、記号（数学記号、地図記号など）、図形（丸、三角、四角など）又はこれらの任意の組合せ（以下、これらをまとめて「文字等」という）から構成される。第１形状として、特定の文字等が周期的に表れる形状（パターン形状）を採用してもよい。
【００１０】
所望の形状の立体視を可能にする限り、シート状表示体の構成は限定されるものではない。例えば、パララックスバリア方式、レンチキュラーレンズ方式、マイクロレンズ方式、ホログラフィックステレオグラムなど、両眼視差を利用して立体表示を行うシート状表示体とする。パララックスバリア方式とは、上下方向に細長く切断した複数の視差像を交互に並べ、その手前に一定の周期で開口部を形成したパララックスバリアを設置する方式である。また、レンチキュラーレンズ方式とはシリンドリカルレンズが配列したレンチキュラーレンズを用いた立体表示法である。レンチキュラーレンズ方式には二種類（レイヤーデプスとフルデプス）あり、いずれを採用することもできる。マイクロレンズ方式では片面側に微細な凸レンズが規則的に配列したマイクロレンズアレイが用いられる。マイクロレンズアレイを構成する各凸レンズの後方には視差画像（立体表示されるように設定された画像。本明細書では立体画像ともよぶ。）が配置される。マイクロレンズアレイ方式では両眼視差に加え、マイクロレンズと立体画像との間に発生するモレア現象を利用した立体視が得られる。マイクロレンズアレイ方式は見る方向を選ばず、不快なちらつき現象も少ない。通常、マイクロレンズアレイの裏面に立体画像が印刷される。但し、立体画像が形成された層を別途設けることにしてもよい。マイクロレンズアレイ方式では画像が浮き上がって見える（手前に突出して見える）表示又はその反対（奥へと沈んで見える）の表示、或いはこれらの組合せからなる表示を任意に設定することができる。本発明では奥へと沈んで見える表示、又は奥へと沈んで見える表示と浮き上がって見える表示が混在した表示に設定することが好ましい。シート状表示体による第１形状の表示と、後述の透光層及び光制御手段による第２形状の表示との間に感得される距離感が増大するからである。後者の場合は更に、二種類の異なる表示態様が混在することによる立体感が得られ、立体感及び意外性が向上する。
ホログラフィックステレオグラムとは複数の異なる視点から見た２次元画像を原画として記録し、ホログラフィックに合成したものである。
尚、以上の各方式を利用した立体表示方法（及びそれを実現する構成）は公知であり（例えば特開平８−１９４２７３号公報、国際公開第９５／０９３７２号パンフレット、特開平５―１１３７４２号公報、特開平９−６２５４号公報等を参照）。
【００１１】
（透光層及び光制御手段）
透光層はシート状表示体の前方に配置される。従って本発明の表示装置では光学手段、シート状表示体、及び透光層がこの順で並ぶ。
ポリカーボネート樹脂、アクリル樹脂（メタクリル樹脂（ＰＭＭＡ）等）、エポキシ樹脂、ポリエチレンテレフタレート樹脂、ガラス等の透光性の高い材料で透光層を形成することができる。透光層は無色透明であっても有色透明であってもよい。また、部分的に色が異なっていても良い。透光層の厚さは特に限定されない。本発明の用途に応じてここでの厚さを適宜設定することができる。例えば透光層の厚さを１ｍｍ〜１０ｃｍの間で設定することができる。
【００１２】
シート状表示体を透過した光は透光層へと向かう。当該光の少なくとも一部は、透光層に入射する際、当該光が透光層に入射後、又は透光性層から射出する際、光制御手段による制御を受ける。これによって透光層から前方に射出する光の態様に変化が生じ、所望の形状（第２形状）が表示される。このように本発明では射出する光の態様の相違を利用して第２形状を表示する。光制御手段による制御は例えば光の遮断、吸収、反射、拡散、色変換などである。拡散と色変換との組合せのように、二種類以上の制御を光制御手段が行うように構成してもよい。
【００１３】
例えば、透光層の一部の領域を被覆し、当該領域を通る光の量及び／又は色を変化させる光制御層を光制御手段とする。このような光制御層は透光層の入光面側（裏面）又は出射面側（正面）のいずれか又は両者に形成することができる。例えば透光層の裏面において所望形状（第２形状）の領域を不透光性材料からなる光制御層で被覆すれば、当該領域に照射する光は遮断され、それ以外の領域に照射する光は透光層を透過して前方に取り出される。その結果、第２形状を取り囲む形状の光が視認されることになる。つまり、周囲が発光することによって間接的に第２形状が表示される。有色透明材料からなる光制御層を用いて同様の構成とすれば、第２形状が光制御層の色を反映した色の光で発光表示される（第２形状が周囲と異なる色で発光する）。
以上の構成とは逆に第２形状以外の領域に不透光性材料からなる光制御層を形成することにすれば第２形状の光が生成されることになる。即ち、当該構成では第２形状が光によって直接表示されることになる。
【００１４】
光制御層は不透光性材料や有色透明材料の印刷、塗布、貼付などによって形成することができる。発光手段の光で蛍光する蛍光体を光制御層に含有させれば、蛍光を利用して第２形状を表示することができる。かかる構成では視認性や意匠性の向上が図られる。
【００１５】
透光層の一部に光拡散反射部を設け、この光拡散反射部を光制御手段として利用することもできる。光拡散反射部は透光層の表面又は内部に設けられる。透光層の表面に光拡散反射部を形成する方法としてはサンドブラスト、エッチング、又は放電加工等による粗面化加工、光反射拡散性材料の蒸着、塗布又は印刷、或いは光拡散性フィルムないしテープの貼付を例示することができる。一方、レーザー加工、フィルムインモールド等を利用すれば透光層の内部に光拡散反射部を設けることができる。
光反射拡散部を第２形状に対応した形状にすれば（具体的には例えば透光層の表面において第２形状の光拡散部を設ける）、光反射拡散部によって反射・拡散された光によって第２形状を発光表示することができる。一方、透光層の表面において、第２形状の領域を囲むように光反射部を設ければ（具体的には例えば第２形状の領域以外の全領域を光反射拡散部とする）、光反射拡散部によって反射・拡散された光が周囲に観察される発光態様となり、第２形状を視認することができる。
【００１６】
透光層の一部に凹部又は凸部を設けることにし、当該凹部等を光制御手段として利用してもよい。具体的には例えば透光層の表面に第２形状の凹部を設ける。かかる構成では凹部のエッジにおいて光の乱反射、集中などが生じ、これによって第２形状を表示することができる。
【００１７】
透光層の一部に貫通孔を設けることにし、当該貫通孔を光制御手段として利用してもよい。具体的には例えば断面形状が第２形状の貫通孔を透光層に設ける。かかる構成では貫通孔を通って射出する光とそれ以外の領域を通って射出する光の態様に差が生ずること、及び貫通孔のエッジによる光の反射が生ずることなどによって第２形状が表示される。
【００１８】
透光層から射出する光によって第２形状が表示されるという目的を達成する限り、上記の光制御層、光拡散反射層、凹部又は凸部、及び貫通孔の態様は上記の例に限定されるものでない。例えば、光制御層を通った光が境界線の働きをして第２形状が表示されるように、透光層の表面において第２形状に対応する形状の領域を縁取るように光制御層を形成することができる。光拡散反射層などによっても同様の構成を採用することが可能である。
【００１９】
（ハーフミラー層）
本発明の一形態では透光層の光出射面上又は前方（即ち観察者側）にハーフミラー層が備えられる。かかる構成では表示装置が非表示状態（昼間などの外部照度が高いとき等）のときはハーフミラー作用によって表示装置の観察面側が金属調となる。これによって、非表示状態のときに内部が観察されることによる意匠性の低下を防止しつつ金属色による特有の意匠性が付与される。一方、表示装置が表示状態のときはハーフミラー層を通して文字等の発光像が観察される。このように非表示状態から表示状態に移行する際、観察面側の色調・質感が急激に変化し、同時に文字等が出現する。これによって意外性を演出することができる。
ハーフミラー層は例えば所定膜厚の金属層（Ａｌ、Ａｇ、Ａｕなど）を用いて形成することができる。また、金属層と光透過性の樹脂などからなる保護層とを順次積層することにより形成することもできる。このようなハーフミラー層の形成方法の一例を示す。まずＡｌ薄膜からなる金属層を形成する。金属層はハーフミラー効果が得られるような厚さとする。例えば、金属層を光の透過率が約１５〜２０％となるような厚さとすることができる。続いて、エポキシ樹脂等の透明な樹脂を印刷、塗布等により金属層に重ねて形成し保護層とする。ハーフミラー層の構成、及び形成方法はこれに限られず公知のものをそれぞれ採用できる。また、保護層の表面、又は金属層と保護層との間などにインク層を設けることもできる。インク層は例えば黄色等の色のインクを印刷、塗布等することにより形成することができる。
【実施例１】
【００２０】
本発明の実施例である表示装置１を図１及び図２に示す。図１は表示装置１の斜視図、図２は図１のＡ−Ａ線位置での断面図である。以下、これらの図面を参照しながら表示装置１の構成及び表示態様を説明する。尚、表示装置１は自動車のスカッフプレート部の装飾に利用される。
【００２１】
表示装置１では発光手段としてＥＬ素子１０が用いられる。図２に示すようにカバー６０内において最下部にＥＬ素子１０が配置され、ＥＬ素子１０の上には表示体２０が載置される。表示体２０の上には空間をおいて文字板３０が配置される。表示体２０と文字板３０との間の空間は必須ではない。但し、この空間によって表示体２０と文字板３０との間に一定の距離が設けられ、より立体感のある表示が可能となる。
文字板３０の上面にはハーフミラーフィルム４０が貼付されている。ハーフミラーフィルム４０の上には保護板５０が被せられる。以上のように表示装置１では、カバー６０内においてＥＬ素子１０、表示体２０、文字板３０、ハーフミラーフィルム４０及び保護板５０がこの順番で観察面側（図面の上側）に向かって並ぶ。尚、ＥＬ素子１０、表示体２０等の各部材の平面視形状は略同一形状の矩形である。
【００２２】
ＥＬ素子１０は背面電極層、誘電体層、発光層及び透明電極層（ＩＴＯ）が順に積層した構造を備える。また、背面電極層の下及び透明電極層の上にはそれぞれ、透光性フィルムからなる保護層を備える。配線を介して通電するとＥＬ素子１０の発光面（上面）から面状光が発する。この実施例では青色光を発光するＥＬ素子１０を用いた。車両搭載時にはハーネスを介してＥＬ素子１０へ電力が供給される。また、ＥＬ素子１０には図示しない電源制御回路が接続されており、例えば車幅灯に連動した発光制御をＥＬ素子１０は受けることになる。
【００２３】
表示体２０は上面側に半球状の微細なレンズが規則的に配列したマイクロレンズアレイからなる（図３）。マイクロレンズアレイの裏面には立体視可能な画像２３が印刷されている。この実施例ではマイクロレンズアレイを通すことによって、規則的に配列したマルＶの文字が沈んで見える立体像を生成する画像とした。
【００２４】
表示体２０は公知の方法（例えば国際公開第９５／０９３７２号パンフレットを参照）で得ることができる。以下、表示体２０の製造法の一例を示す。まず、透明樹脂からなるシート状の基材２１を用意し、その裏面に立体視可能な画像２３を印刷する。次に、レンズ形成用樹脂材料をはじく樹脂材料を、基材２１のレンズ形成面においてレンズを形成しない領域へ塗布、印刷等し、区画線を形成する。続いて、レンズ形成用樹脂材料を塗布、印刷等する。その結果、区画線がレンズ形成用樹脂をはじき、区画線によって囲繞される領域内でレンズ形成用樹脂材料が凸状に盛り上がる。この状態で硬化処理し、微細なレンズ２２が規則的に配列したマイクロレンズアレイを得る。基材２１及びレンズ２２の材料としては各種の光学樹脂、ガラスなどを用いることができる。この方法で得られるマイクロレンズアレイは基材２１とその上に形成されたレンズ２２とからなる。但し、基材とレンズとが一体成型されたマイクロレンズアレイを用いることもできる。
マイクロレンズアレイを構成する各レンズの形状は所望の立体視を可能にするものであれば特に限定されない。例えば、球を平面で切断して得られる、半球よりも小さな形状のレンズによってマイクロレンズアレイを構成してもよい。
【００２５】
文字板３０はアクリル系樹脂からなる。文字板３０の裏面において所望の形状（この実施例ではＣＡＲの文字）の領域（文字領域３１）には蛍光体インクを使用した印刷が施されている。この蛍光体インクは、青色光で励起されて黄色光を発する蛍光体を透明な基材に分散させたものである。
【００２６】
文字板３０の上面に貼付されるハーフミラーフィルム４０はＡｌ材料からなる金属層を備える。ハーフミラーフィルム４０の上に被せられる保護板５０はポリカーボネート樹脂製である。保護板５０はハーフミラーフィルム４０の保護、並びに防塵及び防水等の目的で備えられる。良好な防塵及び防止効果が得られるように、保護板５０の上面縁部はシーリング材によって隙間無くカバー６０に接続されている。
【００２７】
カバー６０はステンレス製（ＳＵＳ）であり、約０．５ｍｍの厚さを有する。カバー６０の片面側には縁部を残して矩形の開口部が形成されている。表示装置１ではこの開口部を通して発光文字表示が行われる。カバー６０は保護部材として機能する一方で、表示装置１の意匠を構成する重要な要素となる。この実施例ではハーフミラーフィルム４０による金属調の色調・質感に調和するよう、カバー６０の材質を上記の通りステンレスとした。
【００２８】
以上のように構成された表示装置１の表示態様を説明する。まず昼間等、外部の照度が高いときには表示装置１は非表示状態（ＥＬ素子１０が非発光状態）となる。このときにはハーフミラーフィルム４０の作用によって表示装置１の観察面側（カバー６０部分を除く）は金属調の色調・質感を呈する。一方、夜間等、外部の照度が低いときに車幅灯の点灯に連動してＥＬ素子１０が発光すると（表示装置１の表示状態）、まずＥＬ素子１０の光を受けて表示体２０が立体表示を行う。即ち、青色発光するマルＶの文字が奥へと沈んだ状態で表示される。一方、表示体２０を透過した一部の光は文字板３０の裏面に形成された文字領域３１に照射する。これによって蛍光体から黄色光が生ずる。この黄色光と照射光である青色光が混色することによって文字領域３１は緑色に発光する。以上の作用が奏される結果、表示装置１では、緑色発光するＣＡＲの文字３１ａが観察されると同時にその周囲において、奥へと沈んで見えるように青色発光するマルＶの文字２１が観察される（図４）。このように二種類の文字が異なる距離感で観察されることから、立体感ないし奥行き感に富み、しかも意外性を与える発光態様となる。
ところで、立体表示を行う表示体としてマイクロレンズアレイを採用したことによって不快なちらつき現象の発生を抑えることができる。これによって、見る角度を選ばず、装飾性及び高級感に優れた発光態様となる。一方、見る角度を変えたときのマルＶの文字２１の見え方の変化は、ＣＡＲの文字３１ａの見え方の変化と同様ではなく、立体視特有のものとなる。これによって、あたかもマルＶの文字２１が表示装置１の内部で動いているかのような印象を与えることができる。
以上のように表示装置１では、薄型であるにもかかわらず、立体感・奥行き感に富み且つ意外性をも伴う表示が行われる。これによって高い装飾効果がもたらされ、高級感も得られる。ところで表示装置１ではハーフミラーフィルム４０の作用により、表示状態へ移行したときに突如として文字が出現する。これによって、表示状態へ移行した瞬間の意外性をも演出することができる。
【００２９】
以上の実施例では全ての文字３１ａが同一の態様で表示されることになるが、文字領域３１の形成方法を工夫することによって更に変化に富む表示態様を実現可能である。例えば、文字領域３１を形成する際に使用する蛍光体インクの種類を文字毎に変えれば、文字間で発光色が異なるという表示態様を得ることが可能である。
【００３０】
以上の実施例では文字板３０の裏面に印刷を施した領域を文字領域３１としたが、これとは逆に、印刷を施さない領域を文字領域とすることにしてもよい。図５に当該構成を採用した場合の表示態様の一例を示した。図５の例では一部の領域（即ちＣＡＲの文字）を除いて文字板３０の裏面全体に不透光性インクによる印刷を施している。その結果、後方からの光によってＣＡＲの形状３２が視認されるとともに、ＣＡＲの形状３２の奥にマルＶの文字２１が観察されることになる。このように当該構成では文字の中に文字が立体表示されるという、意外性が高く且つ趣向を凝らした発光態様が得られる。また、空間的な広がりを演出することもできる。
【実施例２】
【００３１】
本発明の他の実施例を図６に示す。図６はこの実施例の表示装置２の断面図であり、図２に対応する。尚、上記実施例と同一又は同等の部材には同一の符号を付してその説明を省略する。
【００３２】
表示装置２では発光手段としてＬＥＤランプ７０と導光板７１が用いられる。表示体２０の下に導光板７１が配置され、導光板７１の端面に対向する位置にＬＥＤランプ７０が備えられる。ＬＥＤランプ７０は砲弾型（レンズタイプ）であり、青色光を発光する。本実施例では導光板７１の左右端面からそれぞれ光を入射させることとし、合計２個のＬＥＤランプを使用した。ＬＥＤランプの数は必要に応じて増減できる。また、本実施例のように導光板７１の左右端面から光を入射させるのではなく、左右いずれかの端面のみから光を入射させたり、或いは左右端面に加えて上下端面からも光を入射させたりするなど、様々な入射方式を採用することができる。
【００３３】
非表示状態のとき（ＬＥＤランプ７０が非発光状態）の表示装置２の意匠は上記実施例と同様であり、即ちハーフミラーフィルム４０の作用によって金属調の意匠を呈する。一方、表示状態のときにはＬＥＤランプ７０が点灯して以下の表示態様となる。まずＬＥＤランプ７０の光が導光板７１に入射する。入射光は導光板７１内を導光した後、導光板７１の発光面（上面）より発光する。このようにして生成した面状光が、表示体２０による立体表示と、文字領域３１による文字表示とに利用される結果、上記実施例の表示装置１と同様の発光態様が得られる。
【産業上の利用可能性】
【００３４】
以上、本発明の適用例を説明したが、本発明の表示装置はスカッフ部に限らず自動車の様々な部位の装飾（例えばセンタクラスタ部、ステアリングホイール、バックガーニッシュ部、ドア部、又はピラー部等におけるロゴマークの表示）にも適用できる。また、自動車用に限らず、各種車両における表示プレート等の装飾、建物（家屋やビルディング等）の内装又は外装に使用される表示プレート等の装飾にも本発明を適用できる。さらには、車両室内又は建物内の天井を装飾することにも本発明を適用可能である。このような利用形態では装飾的効果に加え、空間に奥行き感を付与したり、開放感を演出したりすることができる。このように本発明を空間演出の手段として利用することも可能である。
【００３５】
この発明は、上記発明の実施の形態及び実施例の説明に何ら限定されるものではない。特許請求の範囲の記載を逸脱せず、当業者が容易に想到できる範囲で種々の変形態様もこの発明に含まれる。
本明細書の中で明示した論文、公開特許公報、及び特許公報などの内容は、その全ての内容を援用によって引用することとする。
【図面の簡単な説明】
【００３６】
【図１】本発明の実施例（表示装置１）の斜視図。
【図２】本発明の実施例（表示装置１）の断面図。
【図３】表示装置１に使用されるマイクロレンズアレイの構成を模式的に示す断面図。
【図４】表示装置１の表示態様を模式的に示す斜視図。
【図５】表示態様の一例を示す斜視図。
【図６】本発明の実施例（表示装置２）の断面図。
【図７】従来のスカッフプレート装置を示す斜視図。
【符号の説明】
【００３７】
１、２  表示装置
１０  ＥＬ素子
２０  表示体
２１  表示体によって立体的に表示される文字
３０  文字板
３１  文字領域
３１ａ  文字領域によって表示される文字
４０  ハーフミラーフィルム
５０  保護板
６０  カバー
７０  ＬＥＤランプ
７１  導光板
【図１】
2008070698.tif 000003
【図２】
2008070698.tif 000004
【図３】
2008070698.tif 000005
【図４】
2008070698.tif 000006
【図５】
2008070698.tif 000007
【図６】
2008070698.tif 000008
【図７】
2008070698.tif 000009